(57)【要約】【課題】  所望の可視情報を、違和感なく、かつそれのみ浮き上がった感じで表示し得る表示器を提供する。【解決手段】  透明ガラス基板２の上面に、複数桁の表示部３、４、５を設ける。各表示部は、日の字型に配置される電極パッド６-1、……、６-7上にそれぞれ１個以上のＬＥＤ７-11 、７-12 、……、７１-71 、７-72 をボンディングすることにより作成する。このようにして製作した表示器１を液晶表示器上に積層すると、表示器１は基板２が透明なので、液晶表示器による画像と、表示器１による数字とを重ね合わせて表示でき、かつ液晶表示器の画像に対して表示器１の数字表示を浮き上がるイメージで表示できる。【選択図】      図１
2006003480.tif 000002
【特許請求の範囲】
【請求項１】
透明ガラス基板に、可視情報を表示するための複数個の発光素子を配設してなることを特徴とする表示器。
【請求項２】
可視情報表示板と、透明ガラス基板に可視情報を表示するための複数個の発光素子を配設してなる前記可視情報表示板に重設される表示板とからなることを特徴とする表示器。
【請求項３】
前記可視情報表示板は、液晶表示板であることを特徴とする請求項２記載の表示器。
【請求項４】
前記可視情報表示板は、回路基板上に可視情報表示用の発光素子を備えた発光素子表示板であることを特徴とする請求項２記載の表示器。
【請求項５】
バックライト光を発する光源板と、透明ガラス基板に可視情報を表示するための複数個の発光素子を配設してなり、前記光源板に重設される表示板と、前記発光素子の点灯に応じた選択表示が可能なパターン表示部を有するシート板とからなることを特徴とする表示器。
【請求項６】
前記光源板と前記表示板間に、空間形成体を備えたことを特徴とする請求項５記載の表示器。
【発明の詳細な説明】
【技術分野】
【０００１】
この発明は、ゲーム機、遊戯器、携帯電話、その他表示機能を有する電子機器に使用する表示器に関する。
【背景技術】
【０００２】
一般に、ゲーム機、遊戯機等において、例えば複数桁の数字を表示することがある。この種の数字の表示は、各桁に７つのセグメントが日の字型に配置される中で、表示すべき０〜９の数字に応じて選択されたセグメントを表示する。
【０００３】
従来、この種の表示器は回路基板上に、各セグメントを形成するＬＥＤを配置するＬＥＤ表示器や、日の字型に電極をパターン構成した液晶表示器が使用されている（例えば、特許文献１参照）。
【特許文献１】特開平１０−２６０６４４号公報
【発明の開示】
【発明が解決しようとする課題】
【０００４】
ゲーム機、遊戯機等において、例えば数字の３桁を表示する場合、背景画像などの他の画像とともに、違和感なく表示し、しかもその数字をある程度くっきりと区別して表示したい場合がある。しかし、従来のように、背景画像と同一画面で表示する方法では、背景画像と違和感がないか、くっきりと浮き上がった感じが出ないという問題がある。また、背景表示と別の表示器で数字を表示する場合には、３桁の数字表示以外に表示器の外枠、ケース表面なども目視され、違和感があり、目障りであるという問題がある。
【０００５】
この発明は上記問題点に着目してなされたものであって、所望の可視情報を、表示に違和感なく、それのみ浮き上がった感じで表示し得る表示器を提供することを目的としている。
【課題を解決するための手段】
【０００６】
この発明の表示器は、上記目的を達成するために、透明ガラス基板に、可視情報を表示するための複数個の発光素子を配設してなることを特徴とする。
【０００７】
この表示器においては、複数個の発光素子を選択点灯すると、発光素子を配設支持するガラス基板は透明なので、発光素子の点灯による表示のみが浮き上がって見える。
【０００８】
また、この発明の表示器は、可視情報表示板と、透明ガラス基板に可視情報を表示するための複数個の発光素子を配設してなる前記可視情報表示板から構成される。
【０００９】
この表示器において、可視情報表示板は、例えば液晶表示板を用いると良い。  また、この表示器において、可視情報表示板は、発光素子表示板であっても良い。
【００１０】
また、この発明の表示器は、バックライト光を発する光源板と、透明ガラス基板に可視情報を表示するための複数個の発光素子を配設してなり、前記光源板に重設される表示板と、前記発光素子の点灯に応じた選択表示が可能なパターン表示部を有するシート板とから構成される。この表示器において、バックライト光源板と表示板との間に、光学的空間を形成する空間形成体を設けるとなお良い。
【発明の効果】
【００１１】
この発明によれば、透明ガラス基板に可視情報を表示するための複数個の発光素子を配設するものであるから、発光素子を点灯することにより、ケース、その他の物体を何ら見せず、目障りとすることなく、可視情報のみを浮き上がらせたイメージで表示することができる。
【００１２】
また、可視情報表示板と、透明ガラス基板に可視情報を表示するための複数個の発光素子を配設した表示板とを重設することにより、可視情報表示板に表示される画像等の可視情報に、数字などの文字情報を重ねて表示することができ、しかも画像表示を妨げることなく、文字情報を浮き上がらせて表示することができる。
【００１３】
また、バックライトからの光を透明ガラス基板に形成した発光素子からの光を重ね合うことにより、雰囲気の異なる発光色を得ることができる。
【発明を実施するための最良の形態】
【００１４】
以下、実施の形態により、この発明を更に詳細に説明する。図１は、この発明の一実施形態である表示器を示す外観斜視図である。この実施形態表示器１は、透明ガラス基板２の上面に３桁の数字表示部３、４、５が形成されている。表示部３は、７個の電極パッド６-1、６-2、……、６-7と、これら電極パッド６-1、６-2、……、６-7のそれぞれに２個ずつ形成されるＬＥＤ（発光素子）７-11 、７-12 、７-21 、７-22 、……、７-71 、７-72 とから構成されている。電極パッド６-1、６-2、……、６-7は、Ａｇ膜で構成され、日の字状にパターン配置されている。ＬＥＤ７-11 、７-12 は、電極パッド６-1にチップＬＥＤの底面を半田によりマウント装着し、あるいはＬＥＤ素子を半田でボンディングしている。他のＬＥＤ７-21 、７-22 、……、７-71 、７-72 も同様に対応する電極パッド６-2、……、６-7に同様にダイボンド接続されている。
【００１５】
各電極パッド６-1、……、６-7は、リードパターン８-1、……、８-7により透明ガラス基板２の端縁に設けられるコネクタパターン９-1、……、９-7に接続されている。表示部４、５も表示部３と同様に構成されている。この実施形態では、表示部３、４、５と桁数が３であり、また各電極パッドに２個のＬＥＤを配置しているが、これに限ることなく、他の個数設けるものであっても良い。電極パッド６６-1、……、６-7の形状は、ＬＥＤ７-11 、……、７-72 の底面とほぼ同様の形状であっても良い。
【００１６】
この実施形態表示器は、表示器１の透明ガラス基板２が固定部（図示せず）に支持された状態で、コネクタパターン９-1、……、９-7より、外部から電極パッド６-1、６-2、……、６-7に表示すべき情報に応じ、選択的に駆動電圧が与えられる。例えば、電極バッド６-2、６-3に駆動電圧が与えられると、電極バッド６-2、６-3上のＬＥＤ７-21 、７-22 、７-31 、７-32 が点灯する。これにより、ガラス基板２は透明で、かつ電極パッド６-1、６-4、〜、６-7上のＬＥＤが点灯していないので、４個のＬＥＤ７-21 、７-22 、７-31 、７-32 で数字「１」が浮き上がったように表示される。
【００１７】
図２は、この発明の他の実施形態表示器の構成を示す分解斜視図である。この実施形態表示器１１は、画像情報を表示する液晶表示器１２と、この液晶表示器１２の上面に重設されるＬＥＤ表示器１３と、このＬＥＤ表示器１３の上面を覆うシート板（成形品）１４が順に積層されて構成されている。
【００１８】
液晶表示器１２は、ゲーム機、遊戯機、携帯電話等で使用される文字を含む画像情報を表示する液晶表示器（液晶表示板）と同様のものである。ＬＥＤ表示器１３は、図１で示した表示器と同様のものであり、透明ガラス基板上に、複数桁の数字を表示するための日の字型に配置された発光セグメントがＬＥＤで形成されている。具体的な構造は、図１で説明した通りである。シート板１４は３桁の数字を明確に表示するための半透明の日の字型パターンを有する透明シートである。
【００１９】
この実施形態表示器を駆動する回路例を図３に示す。液晶表示器１２に表示する画像データは表示データメモリ２１に記憶されており、所望の表示タイミングにＣＰＵ２０からの指令により、表示すべき画像データが読み出され、入／出力ポート２２を経て、Ｘ軸用のシフトレジスタ２５、Ｙ軸用のラッチ回路２６を経て、液晶表示器１２に与えられる。
【００２０】
一方、ＬＥＤ表示器１３に表示する数字データは、ＣＰＵ２０より直接、あるいは表示データメモリ２１から読み出されて入／出力ポート２７を経て、シフトレジスタ２８、ラッチ回路２９よりＬＥＤ表示器１３に与えられる。
【００２１】
この実施形態表示器１１において、液晶表示器１２の画像表示とＬＥＤ表示器１３による数字表示を同時に行うと、ＬＥＤ表示器１３は基板が透明であるので、表示器１１の前面より表示面を見ると、液晶表示器１２の画像表示にＬＥＤ表示器１３の数字表示が重ね合わせて見える。
【００２２】
図４に液晶表示器１２の画像とＬＥＤ表示器１３の数字が、ともに表示された場合の表示例を示している。また、図５に表示器１３の数字が表示されず、液晶表示器１２の画像のみが表示された場合の例を示している。
【００２３】
この実施形態表示器では、数字を表示するＬＥＤ表示器は透明基板で形成しているので、背景となる画像表示に重畳して浮き上がるように、しかも数字表示器ケース体等は何ら目視されることがないので、目障りなく、数字を表示することができる。この実施形態において、ＬＥＤ表示器１３では数字を表示しているが、数字に代えて、カタカナ、アルファベット等の文字、あるいは記号、図形などであっても良い。また、この実施形態において、ＬＥＤ表示器１３の下方に設ける液晶表示器１２は、これに代えて、回路基板上にＬＥＤを配置したＬＥＤ表示器を使用しても良い。
【００２４】
図６は、この発明の更に他の実施形態表示器の構成を示す分解斜視図である。この実施形態表示器３１は、バックライト板３２と、光学的な空間を形成する空間形成体３３と、ＬＥＤ表示板３４と、シート板３５とを順に積層して構成している。
【００２５】
バックライト板３２はＬＥＤユニットをバックライトとして使用するものであり、ここでは円形の発光領域３２-1、３２-2、３２-3を備えており、この発光領域３２-1、３２-2、３２-3にそれぞれ対応して、光源として少なくとも１個のＬＥＤが内蔵されている。各発光領域３２-1、３２-2、３２-3は、いずれも白色光であっても良いし、また白色光に代えて、桁毎に赤、青、黄等としても良い。
【００２６】
ＬＥＤ表示板３４は、図２に示したＬＥＤ表示板１３と同様のものである。また、シート板３５は、図２に示したシート板と同種のものであるが、バックライト３２の発光領域３２-1、３２-2、３２-3に対応して、円形の表示領域３５-1、３５-2、３５-3を形成するため、表示領域３５-1、３５-2、３５-3以外にマスク領域３５-4を形成している。
【００２７】
空間形成体３３は、白色材で形成され、平板状の基板３３ａを有し、この基板３３ａにバックライト３２の発光領域３２-1、３２-2、３２-3に対応する位置に貫通穴３３-1、３３-2、３３-3を設け、これら貫通穴３３-1、３３-2、３３-3の周囲に円筒状壁３３-11 、３３-12 、３３-13 を設けている。この空間形成体３３は、バックライト３２とＬＥＤ表示器３４の間に設けられるので、バックライト３２とＬＥＤ表示器３４は、円筒状壁３３-11 、３３-12 、３３-13 の高さ分の距離、互いに離され、円筒状壁３３-11 、３３-12 、３３-13 の内側に光学的空間が形成されている。
【００２８】
この実施形態表示器３１においては、バックライト３２とＬＥＤ表示器３４の双方が点灯される。両者が点灯しない場合は、あるいはバックライト３２のみが点灯した場合は、シート板３５、ＬＥＤ表示器３４が透明なので、前方より奥まで、つまりバックライト３２の発光領域３２-1、３２-2、３２-3までくっきりと見ることができる。
【００２９】
また、ＬＥＤ表示器３４でＬＥＤを点灯し、数字表示を行うと、空間形成体３３の円筒状壁３３-11 、３３-12 、３３-13 内の空間の存在により、ＬＥＤ表示器３４及びシート３５で表示される数字は、宙に浮いたようなイメージで表示される。
【００３０】
また、ＬＥＤ表示器３４でＬＥＤを点灯し、数字表示を行う際に、バックライト３２も発光させると、バックライト３２の各表示領域３２-1、３２-2、３２-3からの色とＬＥＤ表示器３４の各桁のＬＥＤの発光色が重なり合って、前方からの目視した数字表示の発光色が変化し、異なる色雰囲気を出すことができる。図７に、バックライトを点灯しないで、ＬＥＤ表示器３４のみを点灯した場合の表示例を示している。領域３５-1の７は黄（点々）、領域３５-2の７は青（斜線）、領域３５-3の７は赤（塗りつぶし）を示している。この状態で、バックライト３２も点灯すると、上記したように異なった発光色となる。
【図面の簡単な説明】
【００３１】
【図１】この発明の一実施形態表示器を示す斜視図である。
【図２】この発明の他の実施形態表示器の構成を示す分解斜視図である。
【図３】同実施形態表示器の駆動回路を示すブロック図である。
【図４】同実施形態表示器において、画像表示と数字表示の重なり表示を説明する図である。
【図５】同実施形態表示器において、画像表示のみの場合の表示を説明する図である。
【図６】この発明の更に他の実施形態表示器の構成を示す分解斜視図である。
【図７】同実施形態表示器において、バックライト点灯無し、数字表示有りの場合の表示例を説明する図である。
【符号の説明】
【００３２】
２                                    透明ガラス基板
６-1、６-2、……、６-7                電極パッド
７-11 、７-12 、……、７-71 、７-72   ＬＥＤ
８-1、……、８-7                      リードパターン
９-1、……、９-7                      コネクタパターン
１２                                  液晶表示器
１３、３４                            ＬＥＤ表示器
１４、３５                            シート板
３２                                  バックライト板
３３                                  空間形成体
【図１】
2006003480.tif 000003
【図２】
2006003480.tif 000004
【図３】
2006003480.tif 000005
【図４】
2006003480.tif 000006
【図５】
2006003480.tif 000007
【図６】
2006003480.tif 000008
【図７】
2006003480.tif 000009